(57)【要約】【課題】軽くて携帯し易い、カメラブレ防止装置が望まれていた。【解決手段】カメラと三脚の雲台との間に配置されるカメラブレ防止装置において、カメラに装着される望遠レンズを支承する支承受座を有する長穴付き支持腕５と、長穴付き支持腕５の回動の中心となる支軸１６の他に、クラッチ板７と樹脂製クラッチ板８とを連結する連結ピン１１を備え、前記クラッチ板の回転を抑え、長穴付き支持腕５を前記クラッチ板に圧着し易い構成とした。【選択図】図１
2009015099.tif 000002
【特許請求の範囲】
【請求項１】
カメラと三脚の雲台との間に配置されるカメラブレ防止装置において、
前記カメラが載る固定支持台と、
前記三脚の雲台に着脱自在に装着され、前記固定支持台を前記三脚の雲台に固定する基盤と、
前記基盤の一方の辺に設けられ、ボルト挿通孔を有する側壁と、
前記カメラに装着される望遠レンズを支承する支承受座を有する長穴付き支持腕と、
前記側壁と前記長穴付き支持腕との間に配置される第１のクラッチ板と、
前記長穴付き支持腕の回動の中心となるボルトと、
前記ボルトの頭部としての役割をする第２のクラッチ板と、
前記ボルトと螺合し、前記長穴付き支持腕と前記第１のクラッチ板とを前記側壁に圧接するノブ付きナットと、
前記第１のクラッチ板と前記第２のクラッチ板とを連結する連結ピンと、を備えることを特徴としたカメラブレ防止装置。
【請求項２】
前記側壁のボルト挿通孔は、長穴形状であることを特徴とする請求項１記載のカメラブレ防止装置。
【請求項３】
前記連結ピンは、段付き形状であることを特徴とする請求項１記載のカメラブレ防止装置。
【請求項４】
前記段付き形状は、中心部の径が前記長穴付き側壁の長穴幅とほぼ等しく、両端部の径より太いことを特徴とする請求項３記載のカメラブレ防止装置。
【請求項５】
請求項１記載のカメラブレ防止装置において、
前記長穴付き支持腕と前記ノブ付きナットと間に、スプリングワッシャとを備えることを特徴とするカメラブレ防止装置。
【請求項６】
請求項５記載のカメラブレ防止装置において、
前記長穴付き支持腕と前記スプリングワッシャと前記ノブ付きナットと間に、それぞれ第１のステンレス製ワッシャと第２のステンレス製ワッシャを備え、
前記第１のステンレス製ワッシャと前記第２のステンレス製ワッシャは、前記スプリングワッシャを挟み込み様に配置することを特徴とするカメラブレ防止装置。
【請求項７】
請求項１記載のカメラブレ防止装置において、
第３のクラッチ板を備え、
前記クラッチ板と第３のクラッチ板とで、前記長穴付き支持腕を挟み込む様に配置することを特徴とするカメラブレ防止装置。
【請求項８】
前記ノブ付きナットは、緩み止めナットを備えることを特徴とする請求項１記載のカメラブレ防止装置。
【請求項９】
前記支承受座は、ローラー状の形態とすることを特徴とする請求項１記載のカメラブレ防止装置。
【請求項１０】
前記支承受座は、硬質のウレタン製であることを特徴とする請求項９記載のカメラブレ防止装置。
【発明の詳細な説明】
【技術分野】
【０００１】
本発明は、ブレの少ない状態で被写体を的確に撮影できる望遠系撮影におけるカメラブレ防止装置に関するものである。
【背景技術】
【０００２】
カメラに望遠レンズを接合して撮影を行う写真愛好家、プロカメラマンは、当然のことながら三脚を使用して望遠撮影しているが、カメラブレのない綺麗な画像を得ることができないのが実状である。そこで、先般「望遠系撮影におけるカメラブレ防止装置」を特許出願した（特開２００４−２５８６３３）を用いたカメラブレ防止装置により、望遠レンズを固定することで、撮影時におけるカメラブレの防止と共に、高さや角度などフレーミングの微調整を容易にし、望遠撮影の醍醐味を充分に満喫することが可能となった。
【特許文献１】特開２００４−２５８６３３
【発明の開示】
【発明が解決しようとする課題】
【０００３】
しかしながら、上記背景技術には以下のような問題が発生した。自然の撮影の場所は、主に屋外であり、撮影したい被写体が、車道が完備されていないことが多くある。その場合、カメラなどの撮影道具を人が持って、歩く必要性がある。この時、撮影道具が重かったり、大きかったりする場合には、人が持って歩く場合には、大きな労力が必要であり、軽くて携帯し易い、カメラブレ防止装置が期待されていた。
【０００４】
背景技術で紹介した特許文献１を用いたカメラブレ防止装置では、望遠レンズを固定することに関しては申し分ないが、構造が複雑であり、部品点数が多くなることから、大きく重いという問題があった。
【課題を解決するための手段】
【０００５】
本発明に係る主たる発明は、カメラと三脚の雲台との間に配置されるカメラブレ防止装置において、前記カメラが載る固定支持台と、前記三脚の雲台に着脱自在に装着され、前記固定支持台を前記三脚の雲台に固定する基盤と、前記基盤の一方の辺に設けられ、ボルト挿通孔を有する側壁と、前記カメラに装着される望遠レンズを支承する支承受座を有する長穴付き支持腕と、前記側壁と前記長穴付き支持腕との間に配置されるクラッチ板と、前記長穴付き支持腕の回動の中心となるボルトと、前記ボルトの頭部としての役割をする第２のクラッチ板と、前記ボルトと螺合し、前記長穴付き支持腕と前記クラッチ板とを前記側壁に圧接するノブ付きナットと、前記クラッチ板と前記第２のクラッチ板とを連結する連結ピンと、を備えることを特徴とする。
【０００６】
また、本発明の他の特徴は、添付図面及び本明細書の記載により明らかとなる。
【発明の効果】
【０００７】
本発明によれば、軽くて携帯し易い、カメラ防止装置を実現することが可能となる。更に、コンパクトになった事で、カメラ防止装置を構成する部品点数を削減することが可能となり、カメラブレ防止装置の製造原価を下げると言った利点があげられる。
【発明を実施するための最良の形態】
【０００８】
本発明の詳細を図面に従って具体的に説明する。図１は本発明のカメラブレ防止装置を示す構成図である。図１において、１はアルミ製の基盤であって、三脚の雲台に着脱自在に装着することが出来る。基盤１には支持棒２が２本あり、この２本の支持棒により、カメラが取付け固定されるアルミ製の固定支持台３と基盤１とを固定する。この時、基盤１と支持棒２は一体構造であっても構わない。
【０００９】
また、基盤１には、基盤１を三脚の雲台に固定するために、雲台取付け穴１４と雲台取付け穴１５を設けている。タイプの異なる雲台に対応する為、雲台取付け穴１４と雲台取付け穴１５の径は大きさが異なっている。また、雲台取付け穴１４及び雲台取付け穴１５には、ボルトのネジ山に合致するネジ溝が施してある。そのネジ溝に沿って、ボルトを締めて行ったり、緩めたりすることで、基盤１は三脚の雲台に着脱自在に装着することが出来る。この時、多種多様な雲台の形状に対応するため、雲台取付け穴１４及び雲台取付け穴１５をそれぞれ複数個設けると良く、各々３個ずつ配置した。
【００１０】
同じく、固定支持台３にも、カメラを固定支持台３に固定するために、カメラ取付け穴１２を設けており、カメラも同様に着脱自在に固定支持台３に装着することが出来る。この時、固定支持台３のカメラを取付ける面には、ラバー（ゴム製）の膜を貼り付けおくと、カメラを取付けた際に固定し易い。
【００１１】
また、基盤１は、ある程度の厚みの有るアルミ製の金属板状の構造であり、一方の辺の側壁に長穴付き側壁４を備えている。上記の基盤１と長穴付き側壁４とは、一体型の形状でも良いし、別々の金属板で構成し、図示していないが、複数のボルトによって、基盤１の一方の辺に固定しても良い。
【００１２】
この長穴付き側壁４の外側には、樹脂製クラッチ板８があり、その外側に長穴付き支持腕５があり、更にその外側にアルミ製クラッチ板９がある。これらを、ボルト６とノブ付きナット１０が螺合することで、長穴付き支持腕５を長穴付き側壁４に圧接し、固定する構造となっている。また、ボルト６の頭部の形状は、一般的なボルトに用いられる六角形でも良いが、長穴付き側壁４に設けられた長穴に沿って、ボルト６は可動するので、円形の方が望ましく、ボルト６の頭部は六角穴付き形状で、外径は円形としている。この時、ボルト６の頭部が比較的に小さいので、クラッチ板７が、ボルト６の頭部としての役割をしている。また、クラッチ板７はボルト６とノブ付きナット１０が螺合する螺合力を長穴付き側壁４に伝えるクラッチ板の役目をしている。
【００１３】
クラッチ板７の径は通常のボルトの頭部より、大きい方が螺合力を伝え易い。また、クラッチ板７の外径は、円形の方が、滑らかに動き、使い勝手が良く、見た目にも好ましい。上記により、ボルト６とノブ付きナット１０が螺合することで、長穴付き支持腕５を長穴付き側壁４に圧接する。
【００１４】
ここで、特許文献１を用いたカメラブレ防止装置では、基盤１の両辺の側壁に長穴付き側壁をそれぞれ設けているのに対し、本発明では、基盤１の一方の辺の側壁に長穴付き側壁４を設けている。これにより、部品点数を減らし、軽量にすることが出来た。
【００１５】
しかしながら、基盤１の一方の辺のみに、側壁に長穴付き側壁４を設けたことで、長穴付き支持腕５も、同様に１つになり、１つの長穴付き支持腕５を固定するボルト６とノブ付きナット１０の螺合力によってのみ、重量のある望遠レンズを支える必要がある。その際、ボルト６とノブ付きナット１０とは、より強い螺合力が必要である。すると、ボルト６とノブ付きナット１０を螺合する大きな労力が必要となる。また、強く螺合し過ぎると、今度は緩める際にも、大きな労力が必要となる。
【００１６】
図２及び図３は、本発明のカメラブレ防止装置を示す詳細構成図であり、ボルト６とノブ付きナット１０を、少ない労力で、強い締め付けトルクを得ることが出来る構成を示している。図２は部品を展開した状態の詳細構成を示しており、図３は完成品状態でのそれぞれの部品の位置を示した詳細構成を示している。
【００１７】
本発明の特徴は、クラッチ板７にピン取付け穴１７と樹脂製クラッチ板８にピン取付け穴１８とをそれぞれ設け、ピン取付け穴１７とピン取付け穴１８の間に、それぞれを連結する連結ピン１１を設けた。
【００１８】
図４に本発明のカメラブレ防止装置の一部を示す拡大図を示し、連結ピン１１の配置を説明する。連結ピン１１は、長穴付き側壁４を挟んで、クラッチ板７と樹脂製クラッチ板８とを連結している。これにより、クラッチ板７と樹脂製クラッチ板８の間は、ボルト６と連結ピン１１の２軸により、支えられることになる。２軸により、支えられることで、ボルト６とノブ付きナット１０とを螺合する際に、クラッチ板７と樹脂製クラッチ板８は回転することは無くなる。ノブ付きナット１０を螺合する対象となるクラッチ板７が回転しなくなったことで、ボルト６とノブ付きナット１０とを螺合し易くなる。これにより、比較的に少ない労力で螺合することが可能となる。
【００１９】
また、同時に樹脂製クラッチ板８も回転しなくなったことで、樹脂製クラッチ板８に接する長穴付き支持腕５を容易に樹脂製クラッチ板８に圧接することが出来、比較的に少ない労力で、螺合することが可能となる。
【００２０】
ここで、上記の２軸による構成となっても、クラッチ板７は、長穴付き側壁４の長穴に沿って、可動することが可能であり、より長い望遠レンズを支える為、長穴付き支持腕５を基盤１から遠くに延ばすことが出来る。これにより、多様な三脚の雲台に対応するには、長穴付き側壁４の長穴の位置によって、長穴付き支持腕５の回動の中心となる位置を変えることが出来、長穴付き支持腕５が三脚の雲台と当たることで、上手く動かせないと言った事態を回避することが出来る。
【００２１】
また、軽量にするためには、長穴付き側壁４の長穴幅を短くしたり、長穴でなく、ボルト挿通孔としての単なる穴としたりしても良い。
【００２２】
ここで、連結ピン１１は、段付き形状としている。連結ピン１１の中心部の径は長穴付き側壁４の長穴の狭い方の幅とほぼ等しく、可動するためのゆとり分、長穴（狭い方）が若干広くなっている。また、連結ピン１１の中心部の径は両端部の径より太い形状の段付きとなることで、連結ピン１１が抜け難い構造となり、連結ピン１１が外れる事態を防ぐことが出来る。更に、中心部の径が長穴付き側壁４の長穴幅とほぼ等しいことで、長穴に沿って、長穴付き支持腕５を可動する際に、ぐらぐらする違和感を防止することが出来る。
【００２３】
また、樹脂製クラッチ板８の素材は金属製でも良いが、より締め付けトルクを伝え易くするため、摩擦係数の高い樹脂製とした。
【００２４】
撮影時以外は、長穴付き支持腕５の先にある支軸１６を固定用溝１９に合わせて、ノブ付きナット１０で固定すると、ローラー状支承受座１３が安定的に固定され、持ち運びの際、好適な状態となる。
【００２５】
次に、基盤１の一方の辺のみに、側壁に長穴付き側壁４を設けたことで、長穴付き支持腕５を、１対のボルト６とノブ付きナット１０の螺合力によって支えており、ノブ付きナット１０を緩めると、一瞬で螺合力を失い、長穴付き支持腕５がボルト６を回動の中心に、急に落下することがある。その落下の際には、長穴付き支持腕５で指を挟んだり、長穴付き支持腕５を雲台に激突させたりすることがあった。
【００２６】
図２に示す様に、長穴付き支持腕５とノブ付きナット１０の間に、アルミ製クラッチ板９、ステンレス製ワッシャＡ２０、スプリング製ワッシャ２１、ステンレス製ワッシャＢ２２を設けた。
【００２７】
スプリング製ワッシャ２１を入れたことで、スプリング製ワッシャ２１による弾性力により、一瞬で螺合力を失うことを防止することが出来る。このスプリング製ワッシャ２１による弾性力のトルクが長穴付き支持腕５に伝え易くするため、長穴付き支持腕５を挟み込む様に、接地面積を考慮し、樹脂製クラッチ板８とほぼ同じ径の大きさのアルミ製クラッチ板９を配置した。これにより、スプリング製ワッシャ２１を配置したのに比べ、スプリング製ワッシャ２１による弾性力が伝わり易くなり、緩める際に、急に落下を克服することが可能となる。
【００２８】
ここで、アルミ製クラッチ板９は樹脂製でなくアルミ製なのは、樹脂製クラッチ板８は回転しないのに対し、アルミ製クラッチ板９は、毎回、回転し、長穴付き支持腕５に圧着することから、耐久性の観点で、アルミ製とした。軽量化を重視するなら、アルミ製クラッチ板９は、アルミ製でなく、樹脂製クラッチ板８と同様に、ある程度、硬い樹脂製であっても良い。
【００２９】
また、このスプリング製ワッシャ２１を挟み込む様に、ステンレス製ワッシャＡ２０、ステンレス製ワッシャＢ２２を配置した。これは、スプリング製ワッシャ２１の弾性力により、アルミ製クラッチ板９及びノブ付きナット１０が磨耗することを防止する観点から配置されている。アルミ製クラッチ板９はアルミ製であり、軽量であるが、アルミ製のため、金属としては、削られ易いという欠点を持っている。同様に、ノブ付きナット１０も入手し易い樹脂製の場合、削られ易いという欠点を持っている。この削られ易い欠点を防ぐため、挟み込む様に配置し、ステンレス製の削られ難い特徴を活かし、製品としての耐久性を向上している。
【００３０】
更に、ノブ付きナット１０を緩め過ぎることで、ノブ付きナット１０が外れてしまい、合わせて、アルミ製クラッチ板９、長穴付き支持腕５、樹脂製クラッチ板８の部品も同時に外れてしまうことがあった。すると、カメラブレ防止装置自体がバラバラになることで、バラバラになった製品を組み立て直す手間や、最悪、屋外で外れた場合など、部品の一部がどこかに行ってしまい、製品が欠陥品となってしまうことがあった。そこで、図２に示す様に、ノブ付きナット１０には、緩み止めナット２３を有している。
【００３１】
緩み止めナット２３は、名前の通り、ノブ付きナット１０の緩み止めの役割をしており、ノブ付きナット１０を緩め過ぎると、緩み止めナット２３に当たり、それ以上、緩めることが出来ず、ノブ付きナット１０が外れることを防止することが出来る。また、緩み止めナット２３の位置は、スプリング製ワッシャ２１の弾性力が少しだけ残っている場所で、止まる様にすることで、少し残った弾性力によって、長穴付き支持腕５が急に落下することを効果的に防止する構成となる。
【００３２】
従来の望遠レンズを支えていた支承受座は、参考文献１を参照すると分かる様に、三角形状しており、三角形の２辺を用いて、２点で望遠レンズを支えていた。２点で支えることで、ブレを抑えることが出来たが、雲台にセットされない場合には、三角形状のため、他に良い使い道が無かった。
【００３３】
図５はカメラを保持した状態図であり、カメラ本体２４に望遠レンズ２５を装着し、ノブ付きカメラ固定ネジ２６によって、本発明に組み合わせた状態を図示している。望遠レンズ２５は縮めた状態である。ボルト６及び長穴付き支持腕５の位置を調節し、ローラー状支承受座１３の位置を望遠レンズ２５の先端の位置に合わせて、望遠レンズ２５をローラー状支承受座１３によって支え、撮影時に映像がブレない様に、望遠レンズ２５を固定している。従来に比べて、ローラー状とし、１点で支える構成としたが、ローラーを適度に硬質のウレタン素材としたことで、ウレタン素材の震動を抑える効果を利用し、望遠レンズ２５の振動を抑えることが出来る。また、ウレタン素材の変形する特徴により、接地面積を十分に確保出来、２点で支えていた時以上に、望遠レンズ２５は撮影時に振動することが無く、しっかりと固定することが出来た。ローラーのウレタンの素材は、適当な硬さが良く、柔らか過ぎると磨耗などにより耐久性が悪くなったり、傷つき易くなったり、好適ではない。ウレタン素材の硬度は、５０乃至９０の間が望ましい。
【００３４】
図６はカメラを保持した状態図であり、望遠レンズ２５を伸ばした状態を図示している。更にボルト６の位置を長穴付き側壁４の左側にし、長穴付き支持腕５を伸ばし、伸びた望遠レンズ２５をローラー状支承受座１３によって支え、同様に撮影時に映像がブレない様に、望遠レンズ２５を固定している。
【００３５】
基盤１の一方の辺のみに、側壁に長穴付き側壁４を設けたことで、長穴付き支持腕５が可動し易くなった。この可動し易さに加えて、更に状支承受座をローラー状のローラー状支承受座１３としたことで、カメラブレ防止装置が、雲台とカメラとを固定する以外に用途が広がった。雲台にセットされる以外の用途を説明する。
【００３６】
図７は雲台にセットされない状態で、カメラを保持した状態図での使用例１である。雲台にセットされていない状態でも、望遠レンズを支えていた支承受座をローラー状支承受座１３としたことで、ローラー状支承受座１３を望遠レンズ２５の下側で固定し、テーブルなどの上におくことで、望遠レンズ２５を装備した状態でも、セルフ撮影を行うことが容易となった。通常、望遠レンズ２５は重く、カメラに装着すると、重心が変化し、望遠レンズ２５は下向きなる。図７で示す様に、望遠レンズ２５の向く方向を自由自在に設定することが可能となる。
【００３７】
図８は雲台にセットされない状態で、カメラを保持した状態図での使用例２である。ローラー状支承受座１３をカメラ本体２４の下側で固定し、テーブルなどの上におくことで、液晶ファインダ２７を手に持たずに、撮影した映像を確認することが出来る。たくさんの映像データを確認するには、望遠レンズ２５を装着したカメラは重いことから、手に持つ必要がなく、非常に使い勝手良くなる。
【００３８】
以上、本発明の実施の形態について、その実施の形態に基づき具体的に説明したが、これに限定されるものではなく、その要旨を逸脱しない範囲で種々変更可能である。
【００３９】
例えば、本実施例では、製品の耐久性を鑑み、部品の特徴により、アルミ製、ステンレス製を用いたが、軽量化を重視するのであれば、樹脂製を用いても良い。また、樹脂製とすると、一体化構造とし易く、部品点数を大幅に削減することが可能となる。
【図面の簡単な説明】
【００４０】
【図１】本発明の一実施例に係るカメラブレ防止装置を示す構成図である。
【図２】本発明の一実施例に係るカメラブレ防止装置を示す詳細構成図である。
【図３】本発明の一実施例に係るカメラブレ防止装置を示す詳細構成図である。
【図４】本発明の一実施例に係るカメラブレ防止装置の一部を示す拡大図である。
【図５】本発明の一実施例に係るカメラを保持した状態図である。
【図６】本発明の一実施例に係るカメラを保持した状態図である。
【図７】本発明の一実施例に係る雲台にセットされない状態で、カメラを保持した状態図である。
【図８】本発明の一実施例に係る雲台にセットされない状態で、カメラを保持した状態図である。
【符号の説明】
【００４１】
１  基盤
２  支持棒
３  固定支持台
４  長穴付き側壁
５  長穴付き支持腕
６  ボルト
７  クラッチ板
８  樹脂製クラッチ板
９  アルミ製クラッチ板
１０  ノブ付きナット
１２  カメラ取付け穴
１３  ローラー状支承受座
１４  雲台取付け穴
１５  雲台取付け穴
【図１】
2009015099.tif 000003
【図２】
2009015099.tif 000004
【図３】
2009015099.tif 000005
【図４】
2009015099.tif 000006
【図５】
2009015099.tif 000007
【図６】
2009015099.tif 000008
【図７】
2009015099.tif 000009
【図８】
2009015099.tif 000010